(57)【要約】【課題】コンクリート立上り部の形成の手間を省く、或いは、作成容易な断面方形の立上り基礎部を用いることができ、また、耐火材の位置決めを簡単かつ確実に行うことができ、それにより、作業の手間隙を軽減すると同時に建設コストも軽減できる水平スリット構造を提供する。【解決手段】水平スリット構造は、断面方形の板状形体を有する耐火材３と、断面Ｌ字形の板状形体を有する目地バックアップ材４と、シーリング材５とから構成される。耐火材３は非構造壁１の内壁面１ａから外壁面１ｂに向かって梁２と平行に延びるように設けられる。目地バックアップ材４は耐火材３の伸延端と接合する垂直脚部分４ａと、垂直脚部分４ａの下端側に配置される水平脚部分４ｂとを有する。シーリング材５は目地バックアップ材４の水平脚部分４ｂの外壁面側端部と非構造壁１の外壁面１ｂとの間に設けられる。【選択図】図１
2014133993.tif 000002
【特許請求の範囲】
【請求項１】
非構造壁と梁との間に配設される水平スリット構造であって、
前記非構造壁の内壁面から外壁面に向かって梁と平行に延びるように設けられる、断面方形の板状形体を有する無機質系不燃発泡断熱材からなる耐火材と、
前記耐火材の伸延端と接合する垂直脚部分と、該垂直脚部分の下端側に配置される水平脚部分とからなる断面Ｌ字形の板状形体を有する目地バックアップ材と、
前記目地バックアップ材の水平脚部分の外壁面側端部と非構造壁の外壁面との間に設けられるシーリング材と
からなる、水平スリット構造。
【請求項２】
前記各部材を格納する水平スリット構造の空間は、総体的に、耐火材および目地バックアップ材の垂直脚部分を格納するように梁と平行に延びる第１水平空間部分と、目地バックアップ材の水平脚部分およびシーリング材を格納するように梁と平行に延びかつ第１水平空間部分より下方位置に配置される第２水平空間部分とからなり、第１および第２水平空間部分は相互に隣接する端部間において相互に連通される、請求項１に記載の水平スリット構造。
【請求項３】
前記耐火材は梁の上面上に配置され、前記目地バックアップ材およびシーリング材は梁上面の非構造壁の外壁面側端部に形成された段部に配置される、請求項１または２に記載の水平スリット構造。
【請求項４】
前記耐火材は梁上面に外壁面側端部から所定の寸法だけ内方に離間されて形成された断面方形の非構造壁の立上り基礎部上に配置され、前記目地バックアップ材およびシーリング材は立上り基礎部の外壁面側端部上に配置される、請求項１または２に記載の水平スリット構造。
【発明の詳細な説明】
【技術分野】
【０００１】
本発明は、コンクリート建造物の梁と非構造壁の下端との間に設けられる水平スリット構造に関するものである。
【背景技術】
【０００２】
昨今の大規模地震では、ビル等のコンクリート建造物において構造的強度について被害がないにもかかわらず、非構造壁の損傷により外観上の損害が大きく、高額な補修工事を要したり、資産価値が低下してしまう等の事態が少なからず生じている。このため、建築基準法の改正等に伴って、地震による非構造壁の被害を最小限に留めることが要求されている。
【０００３】
この非構造壁の被害を軽減するために、コンクリート建造物の梁および柱と非構造壁との間にそれぞれスリット構造を設け、非構造壁を力学的にコンクリート建造物から分離することにより、コンクリート建造物への地震による剪断応力が非構造壁に伝達されるのを回避することが提案されている。コンクリート建造物の柱と非構造壁との間における垂直スリット構造およびコンクリート建造物の梁と非構造壁の上端との間における水平スリット構造は、例えば、弾性を備えたスリット材（特許文献１参照）や、変形可能なスリット材（特許文献２の従来技術参照）を用いて、相互に接合する端部間を連結することにより比較的簡単に解決することができる。
【０００４】
これに対し、コンクリート建造物の梁と非構造壁の下端との間における水平スリット構造は、非構造壁の負荷重量が直接加わることによるスリット材の耐久性の問題や施工時の煩雑さ等から、垂直スリット構造等とは異なる構成で施工されている。その代表的な例として、図５に示すように、梁１００上に、コンクリート建造物の外側から内側に向かって上昇するように傾斜した上面を有するコンクリート立上り部１０１を形成し、次いで、この傾斜した上面の中間位置にロックウール保温板からなる断熱材１０２と、断熱材１０２を内外両側から挟み込むように設けられた発泡スチレン１０３，１０３とからなるスリット材を配置し、そして、シーリング材１０４を最外側に配置し、その上に非構造壁１０５を構築することにより水平スリット構造を作成していた。
【先行技術文献】
【特許文献】
【０００５】
【特許文献１】特開２００１−２５４４４８号公報
【特許文献２】特開２０００−１２０２９６号公報
【発明の概要】
【発明が解決しようとする課題】
【０００６】
上述のような水平スリット構造は、コンクリート立上り部１０１の形成、及び上面を傾斜面に形成するために浮き型枠を使用しなければならず、時間的、労力的に非効率であり、建設コストの上昇を招くものであった。加えて、非構造壁１０５の定着筋１０６があるために、左官ゴテによるコンクリート押さえが不十分となって所望形状の傾斜面を形成するのが困難であった。また、スリット材１０２及び１０３の表面に貼着された再生ブチルゴムテープが定着筋１０６の差込みを困難するだけでなく、壁配筋作業中に降雨があると、再生ブチルゴムテープが剥がれてスリット材１０２及び１０３をバラバラにしてしまう虞があった。
【０００７】
従って、本発明は、上述の従来の水平スリット構造の持つ欠点を除去し、コンクリート立上り部の形成の手間を省く、或いは、傾斜した上面を有する立上り基礎部ではなく、最も作成容易な断面方形の立上り基礎部を用いることができる水平スリット構造を提供しようとするものである。
【０００８】
本発明はまた、非構造壁の下端に配置される耐火材の位置決めを簡単かつ確実に行うことができ、それにより、作業の手間隙を軽減すると同時に建設コストも軽減できる水平スリット構造を提供しようとするものである。
【課題を解決するための手段】
【０００９】
非構造壁と梁との間に配設される本発明の水平スリット構造は、非構造壁の内壁面から外壁面に向かって梁と平行に延びるように設けられる、断面方形の板状形体を有する無機質系不燃発泡断熱材からなる耐火材と、耐火材の伸延端と接合する垂直脚部分と、この垂直脚部分の下端側に配置される水平脚部分とからなる断面Ｌ字形の板状形体を有する目地バックアップ材と、前記目地バックアップ材の水平脚部分の外壁面側端部と非構造壁の外壁面との間に設けられるシーリング材とから構成される。
【００１０】
本発明の水平スリット構造はまた、各部材を格納する水平スリット構造の空間を、総体的に、耐火材および目地バックアップ材の垂直脚部分を格納するように梁と平行に延びる第１水平空間部分と、目地バックアップ材の水平脚部分およびシーリング材を格納するように梁と平行に延びかつ第１水平空間部分より下方位置に配置される第２水平空間部分とから構成し、第１および第２水平空間部分が相互に隣接する端部間において相互に連通するように形成することもできる。また、耐火材を梁の上面上に配置し、目地バックアップ材およびシーリング材を梁上面の非構造壁の外壁面側端部に形成された段部に配置することもできる。さらに、本発明の水平スリット構造は、耐火材を、梁上面に外壁面側端部から所定の寸法だけ内方に離間されて形成された断面方形の非構造壁の立上り基礎部上に配置し、目地バックアップ材およびシーリング材を立上り基礎部の外壁面側端部上に配置することもできる。
【発明の効果】
【００１１】
非構造壁と梁との間に配設される耐火材および目地バックアップ材の各部材は梁の上に直接置かれ、その状態でその上に非構造壁が構築されるため、水平スリット構造のための作業を最小限に抑えることができる。また、耐火材に無機質系不燃発泡断熱材を用いることにより、梁上面に構築される非構造壁のための定着筋を貫通させるための孔を容易に開けることができるため、耐火材の配置を簡便に行うことができる。さらに、耐火材および目地バックアップ材の垂直脚部分を格納する第１水平空間部分と、目地バックアップ材の水平脚部分およびシーリング材を格納する第２水平空間部分とが垂直方向に位置ズレして形成されることにより、外部から室内側への水の浸入を確実に防止することができる。加えて、第１水平空間部分と第２水平空間部分との垂直方向の位置ズレを、梁の端部に設けられた段部、または、梁端部から内方に離間された断面方形の立上り基礎部により達成できるため、従来の浮き型枠を不要にできる。
【図面の簡単な説明】
【００１２】
【図１】図１は、本発明の実施例による水平スリット構造を示す模式的な部分斜視図である。
【図２】図２は、図１に示す水平スリット構造の模式的な断面図である。
【図３Ａ】図３Ａは、図１に示す水平スリット構造の作業工程を説明するための模式的な断面図である。
【図３Ｂ】図３Ｂは、図１に示す水平スリット構造の作業工程を説明するための模式的な断面図である。
【図３Ｃ】図３Ｃは、図１に示す水平スリット構造の作業工程を説明するための模式的な断面図である。
【図３Ｄ】図３Ｄは、図１に示す水平スリット構造の作業工程を説明するための模式的な断面図である。
【図４】図４は、本発明の水平スリット構造の変形例を示す図２と同様な図である。
【図５】図５は、従来の水平スリット構造を説明するための模式的な断面図である。
【発明を実施するための形態】
【００１３】
本発明の実施例による水平スリット構造は、図１および２に示すように、非構造壁１と梁２との間に配設される。この水平スリット構造は、断面方形の板状形体を有する耐火材３と、断面Ｌ字形の板状形体を有する目地バックアップ材４と、シーリング材５とから構成される。通常、耐火材３と目地バックアップ材４は一体に形成されて一体成形品としての水平スリット材を構成する。耐火材３は非構造壁１の内壁面１ａから外壁面１ｂに向かって梁２と平行に延びるように設けられる。目地バックアップ材４は耐火材３の伸延端と接合する垂直脚部分４ａと、垂直脚部分４ａの下端側に配置される水平脚部分４ｂとを有する。シーリング材５は目地バックアップ材４の水平脚部分４ｂの外壁面側端部と非構造壁１の外壁面１ｂとの間に設けられる。
【００１４】
耐火材３は、例えば産宝高分子株式会社から販売されている商品名「タルボセル」のような無機質系不燃発泡断熱材が用いられる。この無機質系不燃発泡断熱材は、熱伝導率0.037W/m・Kの有機系発泡断熱材と同等以上の物性を有する一方、カッターナイフでの切断加工やドライバのような棒による穴あけ加工等の加工を簡単に行うことができる。特に限定するものではないが、本実施例における耐火材３は、無機質系不燃発泡断熱材が梁２と接面する側の面にポリエチレン発泡体のフィルム３ａを積層して設けることにより、クッション材として機能させると同時に、加工時における無機質系不燃発泡断熱材の欠け発生防止フィルムとして機能させる。また、目地バックアップ材４としては、その加工性や施工性や耐久性等の観点から、スチレン発泡体を用いるのが好ましい。シーリング材５は、特に限定されるものではなく、ポリウレタン系シーリング材等のような慣用の防水材料が用いられる。
【００１５】
本発明の水平スリット構造における各部材を格納するための空間は、総体的に、耐火材３および目地バックアップ材４の垂直脚部分４ａを格納するように梁２と平行に延びる第１水平空間部分６ａと、目地バックアップ材４の水平脚部分４ｂおよびシーリング材５を格納するように梁２と平行に延びる第２水平空間部分６ｂとから構成される。第１および第２水平空間部分６ａおよび６ｂは相互に隣接する端部間において相互に連通され、外部からの雨水等が内部に流入するのを防止するために、第２水平空間部分６ｂは第１水平空間部分６ａより下方位置となるように配置される。
【００１６】
本発明の水平スリット構造は、図３Ａ〜３Ｄおよび図２に示すように、まず、非構造壁１の外壁面１ｂ側の端部に段部２ａを形成された梁２が設置される（図３Ａ）。段部２ａの大きさは、梁２の上面２ｂとの間で第１および第２水平空間部分６ａおよび６ｂの垂直方向の高さの差に対応する段差を有すると共に、目地バックアップ材４の水平脚部分４ｂおよびシーリング材５を設置できるだけの幅を有するように形成される。次いで、目地バックアップ材４が梁２の段部２ａの角部に配置され、耐火材３が目地バックアップ材４の垂直脚部分４ａと当接するようにして一体成形のスリット材を梁２の上面２ｂに配置する（図３Ｂ）。このとき、梁２に立設されている非構造壁１の定着筋７が耐火材３を貫通する必要があるが、耐火材３が加工性の良好な無機質系不燃発泡断熱材であることにより現場で容易に穴あけできるため、目地バックアップ材４の垂直脚部分４ａによる位置決めと相俟って、所謂、現物合わせにより所定位置に確実に配置することができる。
【００１７】
次いで、非構造壁１の鉄筋７ａを配筋すると共に、コンクリート型枠８ａ〜８ｃを構築（図３Ｃ）する。コンクリート型枠８ａは、非構造壁１の内壁面１ａを形成するように、耐火材３の内方側端面に接面する位置で梁２上に配置される。コンクリート型枠８ｂは、非構造壁１の外壁面１ｂを形成するように、目地バックアップ材４の水平脚部分４ｂの外方側端面からシーリング材５の幅に対応する間隔だけ外方へ離間した位置に、段部２ａの水平面からシーリング材５の高さに対応する間隔だけ上方へ離間されて配置される。コンクリート型枠８ｃは、シーリング材５の充填用空間５ａを形成するように、コンクリート型枠８ｂと目地バックアップ材４の水平脚部分４ｂの外方側端面との間に配置される。コンクリート型枠８ａ〜８ｃの構築が完了すると、コンクリート型枠８ａ〜８ｃ内にコンクリートを注入し、コンクリートの硬化後、コンクリート型枠８を取り除き（図３Ｄ）、充填用空間５ａにシーリング材５を注入することにより、図２に示す状態の水平スリット構造が形成される。
【００１８】
コンクリート構造物の構造的条件や建設場所の条件等により水平スリット構造の設置位置を梁よりも高い位置に設ける必要がある場合、図４に示すように、耐火材３の幅に対応する幅を有し、かつ、段部２ａの高さに対応する高さを有する断面方形の立上り基礎部９を、段部２ａの幅に対応する間隔だけ非構造壁１の外壁面１ｂから離間させて梁２上面に設け、耐火材３を立上り基礎部９の上面に配置し、立上り基礎部９の外壁面側の梁２上面に目地バックアップ材４およびシーリング材５を配置することにより水平スリット構造が構成される。ここにおいて、立上り基礎部９は、前述した従来の傾斜面を有するコンクリート立上り部１０１に比べ、方形の断面であることにより、基礎部９の上面のコンクリート押さえを簡単に行うことができる。
【産業上の利用可能性】
【００１９】
本発明は、コンクリート建造物の梁と非構造壁の下端との間の水平スリット構造として説明したが、必要ならば、非構造壁の上端および左右両端に設けられるスリット構造としても利用できることは容易に理解されよう。この場合、耐火材３、目地バックアップ材４およびシーリング材５は直線上に並べてもよい。
【符号の説明】
【００２０】
１    非構造壁
１ａ    内壁面
１ｂ    外壁面
２    梁
２ａ    段部
２ｂ    上面
３    耐火材
４    目地バックアップ材
４ａ    垂直脚部分
４ｂ    水平脚部分
５    シーリング材
６ａ    第１水平空間部分
６ｂ    第２水平空間部分
７    定着筋
７ａ    鉄筋
８ａ〜８ｃ    コンクリート型枠
９    立上り基礎部
【図１】
2014133993.tif 000003
【図２】
2014133993.tif 000004
【図３Ａ】
2014133993.tif 000005
【図３Ｂ】
2014133993.tif 000006
【図３Ｃ】
2014133993.tif 000007
【図３Ｄ】
2014133993.tif 000008
【図４】
2014133993.tif 000009
【図５】
2014133993.tif 000010